(57)【要約】【課題】「沢山のグッズをバッグにとりつけて見せること」に対する利便性が図られたバッグの提供。【解決手段】バッグ１の少なくとも一側面において、透明性カバー１３を備え、バッグ１の一側面と透明性カバー１３との間にグッズ収納部１５を形成し、当該グッズ収納部１５内にグッズ保持部材１６を設ける。【選択図】図１
0003200826.tif 000002
【実用新案登録請求の範囲】
【請求項１】
バッグの少なくとも一側面において、透明性カバーが備えられており、前記一側面と前記透明性カバーとの間にグッズ収納部が形成され、当該グッズ収納部内にグッズ保持部材を備えることを特徴とするバッグ。
【請求項２】
前記透明性カバーの外周の一辺がバッグと接合され、当該一辺以外の外周において開閉部材を備えることを特徴とする請求項１記載のバッグ。
【請求項３】
前記透明性カバーとバッグの接合がマチ部材を介して行われることにより、前記グッズ収納部が立体的な空間であることを特徴とする請求項２記載のバッグ。
【請求項４】
前記開閉部材がファスナーであることを特徴とする請求項２又は請求項３に記載のバッグ。
【請求項５】
前記バッグがトートバッグであり、前記外周の一辺が、前記透明性カバーの上辺側であることを特徴とする請求項２から請求項４の何れかに記載のバッグ。
【請求項６】
前記バッグがボストンバッグであり、前記外周の一辺が、前記透明性カバーの下辺側であることを特徴とする請求項２から請求項４の何れかに記載のバッグ。
【請求項７】
前記グッズ保持部材が、前記グッズ収納部の上部に形成されていることを特徴とする請求項１から請求項６の何れかに記載のバッグ。
【請求項８】
前記グッズ保持部材が、キーホルダを吊持可能なリング状部を有することを特徴とする請求項１から請求項７の何れかに記載のバッグ。
【請求項９】
前記グッズ保持部材が、ひも状又は帯状材を前記一側面に複数箇所接合することによって形成されていることを特徴とする請求項１から請求項７の何れかに記載のバッグ。
【請求項１０】
前記グッズ保持部材が、すべり止め部材によって形成されることを特徴とする請求項１から請求項７の何れかに記載のバッグ。
【請求項１１】
前記グッズ収納部内に、別の透明性カバーが備えられることにより、前記グッズ収納部内にさらに別のグッズ収納部が形成されることを特徴とする請求項１から請求項１０の何れかに記載のバッグ。
【考案の詳細な説明】
【技術分野】
【０００１】
本考案は、バッグに関し、特にキーホルダ等のグッズを装飾として見せつつ収納可能なグッズ収納部を有するバッグに関する。
【背景技術】
【０００２】
バッグはその実用性もさることながら、ファッション性も重視されている。
特許文献１には、バッグの絵柄やデザインなどを簡単に変更できるようにするための、「バッグ本体のいずれかの面に透明窓部が設けられ、透明窓部は、バッグ外面の透明窓と、透明窓の内側に装填され透明窓を通して外部から観察可能な外観部材を収容する外観部材装填部と、透明窓部の内側に備えられ、外観部材を前記の透明窓に接して固定するための外観部材押さえ部とから構成され、外観部材がバッグ外面の外観を構成する、透明窓を有するバッグ」が開示されている。
透明窓部の内側に、デザインの異なる外観部材（デザインが施された板状の部材）を交換して入れることで、デザインの変更ができるものである。
【先行技術文献】
【特許文献】
【０００３】
【特許文献１】実登第３０９６２２８号公報
【考案の概要】
【考案が解決しようとする課題】
【０００４】
従来、バッグを装飾するために、キーホルダ等がバッグのファスナーや持ち手部分にぶら下げる等されていたが、近年ではキャラクターもののグッズなどを飾るための手段として、バッグが利用されることがある。即ち、気に入ったキャラクターに関する沢山のグッズをバッグにとりつけることが行われている（バッグをキャラクターグッズのディスプレイとして用いている）。
特許文献１のバッグでは、透明窓部の内側にデザインが施された板状の部材を交換して入れることで、デザイン性を変更できるものであるが、上記のような、「沢山のグッズをバッグにとりつけて見せる」ことが想定されているものではなかった。
【０００５】
本考案は、上記の点に鑑み、「複数のグッズをバッグにとりつけて見せること」に対する利便性が図られたバッグを提供することを目的とする。
【課題を解決するための手段】
【０００６】
（構成１）
バッグの少なくとも一側面において、透明性カバーが備えられており、前記一側面と前記透明性カバーとの間にグッズ収納部が形成され、当該グッズ収納部内にグッズ保持部材を備えることを特徴とするバッグ。
【０００７】
（構成２）
前記透明性カバーの外周の一辺がバッグと接合され、当該一辺以外の外周において開閉部材を備えることを特徴とする構成１記載のバッグ。
【０００８】
（構成３）
前記透明性カバーとバッグの接合がマチ部材を介して行われることにより、前記グッズ収納部が立体的な空間であることを特徴とする構成２記載のバッグ。
【０００９】
（構成４）
前記開閉部材がファスナーであることを特徴とする構成２又は構成３に記載のバッグ。
【００１０】
（構成５）
前記バッグがトートバッグであり、前記外周の一辺が、前記透明性カバーの上辺側であることを特徴とする構成２から構成４の何れかに記載のバッグ。
【００１１】
（構成６）
前記バッグがボストンバッグであり、前記外周の一辺が、前記透明性カバーの下辺側であることを特徴とする構成２から構成４の何れかに記載のバッグ。
【００１２】
（構成７）
前記グッズ保持部材が、前記グッズ収納部の上部に形成されていることを特徴とする構成１から構成６の何れかに記載のバッグ。
【００１３】
（構成８）
前記グッズ保持部材が、キーホルダを吊持可能なリング状部を有することを特徴とする構成１から構成７の何れかに記載のバッグ。
【００１４】
（構成９）
前記グッズ保持部材が、ひも状又は帯状材を前記一側面に複数箇所接合することによって形成されていることを特徴とする構成１から構成７の何れかに記載のバッグ。
【００１５】
（構成１０）
前記グッズ保持部材が、すべり止め部材によって形成されることを特徴とする構成１から構成７の何れかに記載のバッグ。
【００１６】
（構成１１）
前記グッズ収納部内に、別の透明性カバーが備えられることにより、前記グッズ収納部内にさらに別のグッズ収納部が形成されることを特徴とする構成１から構成１０の何れかに記載のバッグ。
【考案の効果】
【００１７】
本考案のバッグによれば、透明性カバーにより内部が見えるグッズ収納部において、グッズ保持部材が設けられるため、グッズをバッグに取り付けることが容易であり、且つ、取り付けられたグッズは透明性カバーにより保護されつつディスプレイされる。
【図面の簡単な説明】
【００１８】
【図１】本考案に係る実施形態１のバッグを示す図
【図２】本考案に係る実施形態１のバッグの使用例を示す図
【図３】本考案に係る実施形態２のバッグを示す図
【図４】本考案に係る別のバッグの例を示す図
【図５】本考案に係る別のバッグの例を示す図
【考案を実施するための形態】
【００１９】
以下、本考案の実施態様について、図面を参照しながら具体的に説明する。なお、以下の実施態様は、本考案を具体化する際の一形態であって、本考案をその範囲内に限定するものではない。
【００２０】
＜実施形態１＞
図１は、本考案に係る実施形態１のバッグを示す図であり、（ａ）は透明性カバーを閉じた状態の斜視図、（ｂ）は透明性カバーを開けた状態の斜視図である。
同図に示されるように、本実施形態のバッグ１は、上部が開口している収納部１１に持ち手１２が取り付けられた、いわゆるトートバッグと呼ばれるタイプである。
【００２１】
バッグ１の一側面（図１における手前の面）には、透明性カバー１３が備えられており、透明性カバー１３の外周の一辺（上辺）がマチ部材を介してバッグと縫い合されて接合される。また、このマチ部材で縫い合わせられる一辺（上辺）以外の外周は、ファスナー１４が縫い合わされる。これにより、バッグの一側面（図１における手前の面）と透明性カバー１３との間にグッズ収納部１５が形成される。
グッズ収納部１５は、マチ部材とファスナー１４によって側面が形成され、立体的な空間となる。なお、マチ部材を使わずに透明性カバー１３をバッグに直接縫合して、グッズ収納部１５を平面的に形成するものであっても構わない。
図１（ｂ）には、ファスナー１４を開けることにより、透明性カバー１３を開けた状態を示した。同図に示されるように、本実施形態のバッグ１では、透明性カバー１３を全面的にペロンと上に開けることができる。
透明性カバー１３は、バッグの一側面に対して全面的に形成できた方がよいが、トートバッグに対してこれを実現しようとした場合、四隅の上側の２つの角部を直角に近い形状とする必要がある。しかしながら直角部分にファスナーを設けることは難しいという問題がある。本実施形態のバッグ１では、上記説明のごとく、ファスナー１４を上辺以外において設けることにより、この問題を解消しつつ、透明性カバー１３を全面的に開けることができるようにしている。
【００２２】
グッズ収納部１５内には、グッズ保持部材１６が備えられる。
グッズ保持部材１６は、本実施形態では樹脂製のリング状部１６１に、ひも状若しくは帯状の取り付け片（布片）１６２が通されて、その両端部がグッズ収納部１５の上端部付近に縫いとめられることで形成される。なお、本実施形態では、樹脂製のリング状部１６１をひも状若しくは帯状の取り付け片（布片）１６２によって取り付けることでグッズ保持部材１６を形成しているが、単にひも状若しくは帯状の部材をリング状にして縫いとめることでグッズ保持部材１６を形成してもよい。（本実施形態の樹脂製のリング状部１６１を無くしただけの構成と同等。なお、この場合、リング状に縫いとめられるひも状若しくは帯状の部材によって、「リング状部」が構成される。）
本実施形態では、グッズ収納部１５の上端部付近にグッズ保持部材１６が複数設けられる。
【００２３】
図２に本実施形態のバッグ１の使用例を示した。同図に示されるように、本実施形態のバッグ１は、グッズ収納部１５内の上部に、グッズ保持部材１６が設けられているため、これにキーホルダ等を吊持させることができる。グッズ保持部材１６を配列的に設けることにより、キーホルダ等のグッズを整列させてディスプレイすることが可能である。
また、図２に示されるように缶バッジ等をグッズ収納部１５内で止めたり、その他文房具や人形等の各種のグッズを収めることができる。
本実施形態におけるグッズ収納部１５は、立体的な空間として形成されるため、沢山のグッズや人形等の立体的なグッズも収納、ディスプレイすることができる。
このように多数のグッズをバッグ１に取り付けても、グッズが透明性カバー１３によって保護される（グッズ収納部１５内に収められる）ため、グッズが傷ついたり汚れたりすることが抑止される。また、グッズがグッズ収納部１５内に収められているため、グッズが絡まったりすること（例えば電車の中で他人の服や持ち物に引っ掛かる等）も抑止される。加えて、グッズ収納部１５内に収められているため、グッズの紛失等も抑止されるものであり、非常に有用である。
また、本実施形態のバッグ１では、図１（ｂ）に示されるように、透明性カバー１３を全面的にペロンと開けることができるため、グッズ収納部１５へのグッズの取り付けの作業性がよい。
【００２４】
＜実施形態２＞
図３は、本考案に係る実施形態２のバッグを示す図であり、（ａ）は透明性カバーを閉じた状態の斜視図、（ｂ）は透明性カバーを開けた状態の斜視図である。
なお、実施形態１と同様の概念となるものについては同一の符号を使用し、ここでの説明を省略もしくは簡略化する。また、バッグとしての一般的な構成についてもここでの説明を省略もしくは簡略化する。
【００２５】
同図に示されるように、本実施形態のバッグ２は、いわゆるボストンバッグと呼ばれるタイプである。
本実施形態のバッグ２においても、実施形態１と同様に、グッズ収納部１５が形成されるが、実施形態２においては、透明性カバー１３の下辺側において、マチ部材を介してバッグと縫い合せている。このマチ部材で縫い合わせられる一辺（下辺）以外の外周にてファスナー１４で縫い合わせる点や、これによって形成されるグッズ収納部１５内にグッズ保持部材１６が備えられる点は実施形態１と同様である。なお、本実施形態では、ファスナー１４として、ダブルファスナーを用いている。
図３（ｂ）には、ファスナー１４を開けることにより、透明性カバー１３を開けた状態を示した。同図に示されるように、本実施形態のバッグ２では、透明性カバー１３を全面的に下に開けることができる。
本実施形態のバッグ２によれば、実施形態１と同様の優れた作用効果を得ることができる。
【００２６】
上記各実施形態では、グッズ収納部がバッグの一側面のみに設けられるものを例として説明しているが、バッグの両面にグッズ収納部を設ける等、複数の側面にグッズ収納部を設けるものであってよい。もしくは、バッグの一側面に複数のグッズ収納部を形成するようにしてもよい。
また、グッズ収納部の中にさらに別のグッズ収納部を形成するようにしてもよい。図５にその一例を示した。
図５に示されるように、例えば、透明性カバー１３Ａや透明性カバー１３Ｂをさらに備えることによって、グッズ収納部の中にさらに別のグッズ収納部（グッズ収納部１５Ａ、１５Ｂ）を形成できる。透明性カバー１３Ａや透明性カバー１３Ｂは、上記説明した透明性カバー１３と同様の構成でバッグに取り付けられるもの（ファスナーで開閉可能なもの）であっても良いし、単純にポケット状にバッグ本体に縫いつけられるもの等であってもよい。また、図５ではバッグ本体側に透明性カバー１３Ａや透明性カバー１３Ｂが取り付けられるものを例としているが、透明性カバー１３Ａや透明性カバー１３Ｂが、透明性カバー１３に取り付けられるものであっても構わない。透明性カバー１３Ａや透明性カバー１３Ｂによって、グッズ収納部１５Ａや１５Ｂが形成される。
これにより、グッズ収納部１５Ａや１５Ｂに例えば文房具などのグッズを入れることができ、全体のグッズ収納部１５内においてグッズを安定的に保持させることができる。即ち、グッズ収納部１５Ａや１５Ｂは、グッズ保持部材としても機能すると言える。
【００２７】
上記各実施形態では、グッズ保持部材として、樹脂製のリング状部１６１に、ひも状若しくは帯状の取り付け片（布片）１６２を通して、その両端部を縫いとめて形成するもの、または、単にひも状若しくは帯状の部材をリング状にして縫いとめるものを例としているが、本考案におけるグッズ保持部材はこれらに限られず、各種のグッズを保持できるものであればよい。
図４には、別のグッズ保持部材の例を示した。図４のグッズ保持部材２６は、ひも状又は帯状材を複数箇所で縫いとめることによって形成される。即ち、ひも状又は帯状材が、複数の縫合部２６１によって縫いとめられ、各縫合部２６１の間となる部分においてはひも状又は帯状材がフリーの状態であるため、この部分に物をひっかけることができるものである。
その他、グッズ収納部内にすべり止め加工をすることによって、グッズ保持部材として機能させるものであってもよい。すべり止め加工は、シリコンや天然ゴムのボツ加工など、各種の手法を用いればよい。
【００２８】
上記各実施形態では、グッズ保持部材１６がグッズ収納部の上部に設けられるものを例としているが、グッズ収納部の任意の場所に形成されるものであってもよい。
【００２９】
透明性カバーは、無色透明であるものに限られず、有色のものであっても構わない。（グッズ収納部内のグッズを視認可能なものであればよい）
【００３０】
実施形態では、トートバッグとボストンバッグを例としているが、本考案がこれらに限られるものではなく、ショルダーバッグ、スーツケース、キャリーバッグ、リュック、ランドセル等、各種のバッグ、カバンに利用できる。
【符号の説明】
【００３１】
１．．．バッグ
１３．．．透明性カバー
１４．．．ファスナー（開閉部材）
１５．．．グッズ収納部
１６．．．グッズ保持部材
１６１．．．リング状部
【図１】
0003200826.tif 000003
【図２】
0003200826.tif 000004
【図３】
0003200826.tif 000005
【図４】
0003200826.tif 000006
【図５】
0003200826.tif 000007